(57)【要約】【課題】  美観を保持しつつ光センサによる光線に反応できる表示台を提供すること。【解決手段】  投影装置１によって裏側に投影された画像を表側に表示する表示部１５を有して脚部１２に設置され、光センサによって下方から投光された光線が表面から所定の距離を有する平面上を通過する透明または半透明のパネル１４と、パネル１４の少なくとも上部に取付けられ光線を再帰反射する反射部を有するフレーム１３とを備え、また、フレーム１３は、パネル１４の上部および側部に取付けられ脚部１２に連結して固定されていることを特徴とする。【選択図】    図２
2006003960.tif 000002
【特許請求の範囲】
【請求項１】
投影装置によって裏側に投影された画像を表側に表示する表示部を有して脚部に設置され、光センサによって下方から投光された光線が表面から所定の距離を有する平面上を通過する透明または半透明のパネルと、
前記パネルの少なくとも上部に取付けられ前記光線を再帰反射する反射部を有するフレームと
を備えたことを特徴とする表示台。
【請求項２】
前記フレームは、前記パネルの上部および側部に取付けられ前記脚部に連結して固定されていることを特徴とする請求項１記載の表示台。
【請求項３】
前記パネルには、前記パネルの裏側に突出するように形成され、かつ前記表示部の下側に配置された凹部が設けられていることを特徴とする請求項１または２記載の表示台。
【請求項４】
前記表示部の下方両端には、前記光センサが取付けられていることを特徴とする請求項１から３のいずれか一項に記載の表示台。
【請求項５】
前記凹部の下方両端には、前記光センサが取付けられていることを特徴とする請求項３記載の表示台。
【請求項６】
前記光センサは、保護カバーによって覆われていることを特徴とする請求項４または５記載の表示台。
【請求項７】
前記保護カバーには、前記パネルと同色の保護パネルが前記保護カバーの外側に取付けられていることを特徴とする請求項６記載の表示台。
【発明の詳細な説明】
【技術分野】
【０００１】
本発明は、画像を表示する表示台に関するものである。
【背景技術】
【０００２】
従来、表示台に取付けられるポインティングデバイスとして、画面表示装置の表面に透明の入力パネルが取付けられ、この入力パネルの表面でかつ側方に光センサユニットが取付けられたものが採用されている。
光センサユニットは、画面表示装置の上方両端に設置され、入力パネルに対して所定の距離を有する平行平面内に走査光を投受光する。また、光センサユニットの投光する光線を再帰反射する再帰反射部材が入力パネルの周囲に配設されている。
このように構成されたポインティングデバイスは、画面表示装置上の点を指あるいは専用ペンで指し示すことにより、その座標位置を光センサユニットの受光した再帰反射光を利用して、画像処理手段により解析して支持体の座標位置を算出することができる（例えば、特許文献１参照）。
【０００３】
一方、表示台として、透明または半透明のパネルを有し、投影装置を用いてパネルの裏側に投影された画像がパネルを透過して表側に映し出されるものが採用されている。このパネルは、透明または半透明であるとともに、その表面に凹部および凸部を含まず平滑であることで美観性を有するという特徴がある。
このような表示台には、上記ポインティングデバイスのように、画面表示装置上の点を指し示すことにより支持体の座標位置を算出する機能を有していない。
そこで、上記表示台において、パネルの周囲に再帰反射部材を配設するとともに、パネルの表面上に光センサによって投受光される光線を通過させることで、支持体の座標位置を算出する機能を有した表示台を提供することができる。
【特許文献１】特開２００４−５１７１号公報
【発明の開示】
【発明が解決しようとする課題】
【０００４】
ところで、上記表示台においては、パネルに投影される画像が見やすくなるように、パネルが高い位置に設置される。また、パネルに画像を投影する投影装置を取扱う作業者が作業しやすいように、投影装置がパネルより低い位置に設置される。
しかしながら、この表示台において、上記ポインティングデバイスのように光センサをパネルの上方に設置すると、パネルに投影された画像を見るときに光センサが視野に入ってしまうため、表面が平滑であるパネルの美観を損なうこととなる。また、パネルが平滑であるため、パネルの下方に再帰反射部材を配設するための凸部を設置することも、表面が平滑であるパネルの美観を損なう要因となる。
【０００５】
本発明は、このような事情を考慮してなされたもので、美観を保持しつつ光センサによる光線に反応できる表示台を提供することを目的とする。
【課題を解決するための手段】
【０００６】
本発明は、上記課題を解決するため、以下の手段を採用する。すなわち本発明に係る表示台は、投影装置によって裏側に投影された画像を表側に表示する表示部を有して脚部に設置され、光センサによって下方から投光された光線が表面から所定の距離を有する平面上を通過する透明または半透明のパネルと、前記パネルの少なくとも上部に取付けられ前記光線を再帰反射する反射部を有するフレームとを備えたことを特徴とする。
本発明に係る表示台によれば、このように反射部を設けたフレームをパネルの上部に取付けたことで、パネルの上部に光センサを設置することなく、光センサによって下方から投光された光線に反応できるため、パネルの平滑性が維持される。また、パネルの平滑性が維持されることで、投影装置によって透明または半透明のパネルに画像がパネルの裏側から投影され表側の表示部に表示されても、表示された画像を見る際の視覚的な弊害がパネルに存在しなくなる。
【０００７】
また、本発明に係る表示台において、前記フレームは、前記パネルの上部および側部に取付けられ前記脚部に連結して固定されていることを特徴とする。
本発明に係る表示台によれば、フレームがパネルの上部および側部に取付けられていることで、光センサによる下方からの光線を自由な方向に投受光できる。また、このフレームが脚部に連結して固定されていることで、フレームが光センサによる下方からの光線を反射する機能とパネルを脚部に固定する機能とを兼ね備えることとなるため、それぞれの機能を有する部材をそれぞれ個別に設ける必要がない。
【０００８】
また、本発明に係る表示台において、前記パネルには、前記パネルの裏側に突出するように形成され、かつ前記表示部の下側に配置された凹部が設けられていることを特徴とする。
本発明に係る表示台によれば、凹部がパネルの裏側に突出するように形成されることで、凹部内に物体、例えば表示部に表示された画像の実物を陳列することが可能となる。
また、凹部が表示部の下側に配置されることで、表示部に表示された画像を見ながら凹部内に陳列された物体を容易に選び取ることが可能となる。
また、凹部内に陳列された物体を選び取る際に、光センサによって下方から投光された光線に反応することが可能となる。
【０００９】
また、本発明に係る表示台において、前記表示部の下方両端には、前記光センサが取付けられていることを特徴とする。
本発明に係る表示台によれば、表示部の下方両端に光センサを取付けることで、光センサがパネルに固定された状態で光センサからの光線に反応することが可能となる。
【００１０】
また、本発明に係る表示台において、前記凹部の下方両端には、前記光センサが取付けられていることを特徴とする。
本発明に係る表示台によれば、凹部内に陳列された物体を選び取る際に、光センサがパネルに固定された状態で光センサからの光線に反応することが可能となる。
【００１１】
また、本発明に係る表示台において、前記光センサは、保護カバーによって覆われていることを特徴とする。
本発明に係る表示台によれば、光センサを保護カバーで覆うことで、光センサが埃から保護される。また、保護カバーに埃が堆積しても清掃しやすい。
【００１２】
また、本発明に係る表示台において、前記保護カバーには、前記パネルと同色の保護パネルが前記保護カバーの外側に取付けられていることを特徴とする。
本発明に係る表示台によれば、保護カバーの外側にパネルと同色の保護パネルを取付けることで、表示部の下方両端に設けられる光センサが保有する色を隠して表示台全体の色を統一できる。
【発明の効果】
【００１３】
本発明の表示台によれば、パネルの平滑性が維持されることで、投影装置によって透明または半透明のパネルに画像がパネルの裏側から投影され表側の表示部に表示されても、表示された画像を見る際の視覚的な弊害がパネルに存在しなくなるので、美観を保持しつつ光センサによる光線に反応することができる。
【００１４】
また、本発明の表示台によれば、光センサによる下方からの光線を自由な方向に投受光でき、また、フレームが光センサによる下方からの光線を反射する機能とパネルを脚部に固定する機能とを兼ね備えるため、それぞれの機能を有する部材をそれぞれ個別に設ける必要がないので、部品点数を削減することができる。
【００１５】
また、本発明の表示台によれば、表示部に表示された画像を見ながら凹部内に陳列された物体を容易に選び取ることが可能となり、また、凹部内に陳列された物体を選び取る際に、光センサによって下方から投光された光線に反応することが可能となるので、画像を見て選び取られた物体に対応した反応を得ることができる。
【００１６】
また、本発明の表示台によれば、パネルの下部両端において光センサがパネルに固定された状態で光センサからの光線に反応するので、光センサからの安定した光線を精度よく得ることができる。
【００１７】
また、本発明の表示台によれば、凹部の下部両端において光センサがパネルに固定された状態で光センサからの光線に反応するので、凹部内に陳列された物体を選び取る際において光センサからの安定した光線を精度よく得ることができる。
【００１８】
また、本発明の表示台によれば、光センサが埃から保護され、また、保護カバーに埃が堆積しても清掃しやすいので、光センサの測定精度の低下を防止できる。
【００１９】
また、本発明の表示台によれば、表示部の下方両端に設けられる光センサが保有する色を隠して表示台全体の色を統一できるので、表示台全体の美観を保持することができる。
【発明を実施するための最良の形態】
【００２０】
以下、本発明の実施の形態について、図面を参照して説明する。
図１は、本発明を適用した表示台の正面図である。また、図２は、表示台の側面図である。
表示台１０には、画像を投影する投影装置１と、投影装置１を制御する制御部としてのパソコン２とを設置する設置棚１１を多段、例えば４段に備えた脚部１２が設けられている。この脚部１２の前面には、フレーム１３を周囲に配置した矩形のパネル１４が取付けられている。すなわち、投影装置１およびパソコン２は、パネル１４の裏側に配置されている。なお、パソコン２は、後述する光センサ１６からの光線が遮断された位置を指示手段が接触した位置までの距離を測定することにより検出する位置検出手段と、その検出された位置における情報を判別する情報判別手段と、投影された画像を当該情報に関する画像に切替える画像切替え手段とを備えている。
【００２１】
また、このパネル１４は、脚部１２の高さ方向に脚部１２よりも高く延長した半透明のアクリル板で形成されており、裏側から投影装置１によって投影された画像が表側に透過される。また、パネル１４の上部には表示部１５が設けられており、パネル１４の裏側から透過された画像を表側に表示できるようになっている。
【００２２】
また、図３および図４に示すように、パネル１４の中央両端、すなわち表示部１５の下方両端には、光センサ１６が設置されている。これら光センサ１６は、パネル１４を脚部１２に支持する梁部１７に取付けられ、保護カバー１８に覆われた状態で、パネル１４の中央両端に貫通された孔１９から突出するように設置される。なお、梁部１７は、梁部１７と同方向に延長する強度部材２０と、強度部材２０およびパネル１４を支持する強度部材２１とによって下部を固定されるとともに、強度部材２１に取付けられる強度部材２２によって固定されたアクリル製の側板２３によって側部を覆われる。
【００２３】
また、保護カバー１８の外側、すなわち孔１９から突出した表面側には、パネル１４と同じ材質かつ同色のアクリル板で形成された保護パネル２４が取付けられている。
なお、梁部１７の内側には、パソコン２と光センサ１６とを接続する接続部２５が取付けられており、その接続部２５を覆うように保護カバー２６が梁部１７に取付けられている。
【００２４】
また、パネル１４の周囲に配置されたフレーム１３は、細長状のアクリル板からなり、パネル１４の平面に直交するように、パネル１４の外縁に取付けられている。このフレーム１３の内側であってパネル１４の表側には、光センサ１６から投受光される光線を再帰反射する反射部２７が設けられている。この反射部２７は、一端がパネル１４の表面に接するようにフレーム１３に貼着された再帰反射テープからなる。
【００２５】
また、光センサ１６から投受光される光線は、投受光口１６ａから投受光され、パネル１４の表面から所定の距離、例えば反射部２７の幅方向の端部から中心までの距離を有する平面上を、反射部２７を反射しながら通過する。
また、保護カバー１８は、図４および図５に示すように、光センサ１６を覆うように形成されるとともに、光センサ１６から投受光される光線が斜方向に通過できるように、その一部に斜面を有する投受光窓１８ａを備えている。
【００２６】
次に、上記の構成からなる表示台の機能および作用について説明する。
投影装置１からパネル１４の裏側に投影された画像が、パネル１４を透過して表示部１５に表示される。また、表示部１５の下方両端に設置された光センサ１６からその上方に配置された表示部１５に向けて投光された光線が、パネル１４の表面から所定の距離を有する平面上を通過しながら、反射部２７に再帰反射して光センサ１６に受光される。
ここで、表示部１５を指またはペン等の指示手段で接触すると、光センサ１６からの光線の進路が指示手段によって遮断されることで、指示手段が接触した位置を光センサ１６が検出する。そして、検出した位置についての信号をパソコン２に送信して、その信号に基づいてパソコン２が表示部１５の画像を切替える制御を行う。
【００２７】
このような表示台１０は、例えば、商品の説明に利用する場合に好適である。すなわち、複数の商品の画像を表示部１５に表示しておき、その画像の中で説明を求めたい対象商品の画像が表示された位置を指示手段で接触すると、光センサ１６からの光線の進路が指示手段によって遮断されることで、光センサ１６が、指示手段が接触した位置までの距離を測定することによりその位置を検出する。そして、検出した位置についての信号をパソコン２に送信して、その信号に基づいて、検出した位置に表示された商品がいずれの商品であるかを判別し、その判別された商品を対象商品として、複数の商品の画像を対象商品の説明に関する画像に切替える。これによって、対象商品を選択することでその説明が画像に表示されることとなる。
【００２８】
このような表示台１において、光センサ１６を表示部１５の下方両端に設置し、反射部２７を設けたフレーム１３をパネル１４の周囲に取付けたことで、パネル１４の上部に光センサを設置することなく下方から投光された光線に反応できるため、パネル１４の平滑性が維持される。すなわち、光センサをパネル１４の上部に設けることでパネル１４の平滑性が損なわれることがない。また、パネル１４の平滑性が維持されることで、投影装置１によってパネル１４に画像がパネル１４の裏側から投影され表示部１５に表示されても、表示された画像を見る際に光センサがパネル１４の上部で突出しているというような視覚的な弊害が存在しなくなる。したがって、表示台１０の美観を保持しつつ光センサ１６による光線に反応することができる。
また、表示部１５の下方両端に光センサ１６を取付けることで、光センサ１６がパネル１４に固定された状態で光センサ１６からの光線に反応することが可能となる。したがって、光センサ１６からの光線を精度よく安定して得ることができる。
【００２９】
また、フレーム１３がパネル１４の周囲、特に上部および側部に取付けられていることで、光センサ１６からの光線を自由な方向に投受光できる。また、このフレーム１３が脚部１２に連結して固定されていることで、フレーム１３が光センサ１６からの光線を反射する機能とパネル１４を脚部１２に固定する機能とを兼ね備えることとなるため、それぞれの機能を有する部材をそれぞれ個別に設ける必要がない。したがって、表示台１０の部品点数を削減することができる。
【００３０】
また、光センサ１６を保護カバー１８で覆うことで、光センサ１６に埃が付着することなく、埃から保護される。また、保護カバー１８に埃が堆積しても、保護カバー１８を容易に清掃できるため、保護カバー１８からの埃の除去が容易である。したがって、埃の堆積による光センサ１６の測定精度の低下を防止することができる。
また、保護カバー１８の外側にパネル１４と同色の保護パネル２４、好ましくは同色かつ同質のアクリル板を取付けることで、表示部１５の下方両端に設けられる光センサ１６が保有する黒色を隠して表示台１０全体の色を統一することができる。したがって、表示台１０全体の美観を保持することができる。
【００３１】
なお、上記実施の形態において、図６および図７に示すように、表示部１５の下側に、パネル１４の裏側に突出するように形成された凹部３０が設けられてもよい。ここで、光センサ１６は、凹部３０の下方両端に取付けられることが好ましい。
このような表示台１０において、凹部３０がパネル１４の裏側に突出するように形成されることで、表示部１５に表示された画像の対象物を凹部３０内に陳列することが可能となる。また、凹部３０が表示部１５の下側に配置されることで、表示部１５に表示された画像を見ながら凹部３０内に陳列された対象物を容易に選び取ることが可能となり、また、凹部３０内に陳列された対象物を選び取る際に、光センサ１６からの光線に反応することが可能となる。すなわち、図８に示すように、パネル１４と同一平面上にある凹部３０の入口には、その平面から所定の距離を有する平面上で光センサ１６からの光線が通過しており、凹部３０に指示手段を挿入する際、光センサ１６からの光線が指示手段によって遮断されることとなる。したがって、画像を見て対象物を凹部３０から選び取る際、その対象物に対応して、指示手段が表示部１５に接触したときと同様に光センサ１６からの光線の反応を得ることができる。
【００３２】
このような表示台１０は、例えば、凹部３０に複数の商品を展示し、それら展示した商品の説明に利用する場合に好適である。すなわち、複数の商品の画像を表示部１５に表示するとともに、凹部３０にそれら複数の商品を展示する。そして、それら商品の中で説明を求めたい対象物を手で選び取ると、光センサ１６からの光線の進路が手によって遮断されることで、光センサ１６が、対象物を選び取った手の位置までの距離を測定することによりその位置を検出する。そして、検出した位置についての信号をパソコン２に送信して、その信号に基づいて、検出した位置に展示された商品がいずれの商品であるかを判別し、その判別された商品を対象物として、複数の商品の画像を対象物の説明に関する画像に切替える。これによって、対象物を選び取ることでその説明が画像に表示されることとなる。
【００３３】
また、上記実施の形態において、光センサ１６が表示台１０に設置されていなくてもよく、例えば表示台１０の外部に光センサを設置し、その光センサから光線を投受光するようにしてもよい。
また、上記実施の形態において、光センサからの光線が下部から投受光されるため、指示手段の位置を検出するために、反射部２７を設けたフレーム１３がパネル１４の上部および側部に設置されることが好ましいが、少なくともパネル１４の上部に設置されていればよい。
【００３４】
また、上記実施の形態において、フレーム１３に設けられた反射材２７が、光センサからの光線を反射できる部材であれば、再帰反射テープを貼付することに限定するものではない。
また、上記実施の形態において、パネル１４は、半透明のアクリル板に限定するものではなく、透過性のある板であればよい。また、その板が例えばガラス板のような透明板である場合、裏側に透過性を有するシートスクリーンを貼付することで、半透明のアクリル板と同等の効果が得られることとなる。
また、上記実施の形態において、表示部１５に表示される画像は、静止画に限定するものではなく、動画でもよい。
【図面の簡単な説明】
【００３５】
【図１】本発明における実施の形態に係る表示台の正面図である。
【図２】本発明における実施の形態に係る表示台の側面図である。
【図３】本発明における実施の形態に係る表示台の部分斜視図である。
【図４】本発明における実施の形態に係る表示台の部分断面図である。
【図５】本発明における実施の形態に係る保護カバーの斜視図である。
【図６】本発明における実施の形態に係る別の表示台の正面図である。
【図７】本発明における実施の形態に係る別の表示台の側面図である。
【図８】本発明における実施の形態に係る別の表示台の部分断面図である。
【符号の説明】
【００３６】
１  投影装置
２  パソコン（制御部）
１０  表示台
１２  脚部
１３  フレーム
１４  パネル
１５  表示部
１６  光センサ
１７  梁部
１８  保護カバー
２４  保護パネル
２７  反射部
３０  凹部
【図１】
2006003960.tif 000003
【図２】
2006003960.tif 000004
【図３】
2006003960.tif 000005
【図４】
2006003960.tif 000006
【図５】
2006003960.tif 000007
【図６】
2006003960.tif 000008
【図７】
2006003960.tif 000009
【図８】
2006003960.tif 000010